(57)【要約】【課題】本発明は、外枠、内枠及びガラス枠の上隅部に設けられたヒンジ装置が同軸に配置された状態で上下スペースを取らないようにすることである。【解決手段】本発明に係るパチンコ機のヒンジ装置は、外枠１０の上隅部において下方に突出する外枠ヒンジピン３２と、ガラス枠の上隅部において上方に突出するガラス枠ヒンジピン４９と、内枠１２の上隅部に設けられて外枠ヒンジピン３２が挿通される外枠用ピン受け機構５４１ｕと、ガラス枠ヒンジピン４９が挿通されるガラス枠用ピン受け機構５４４ｕとを有しており、外枠用ピン受け機構５４１ｕとガラス枠用ピン受け機構５４４ｕとはハウジングを共用している。【選択図】図３
2010162325.tif 000002
【特許請求の範囲】
【請求項１】
方形枠状の外枠と、遊技盤が取付けられる内枠と、前記遊技盤を視認可能な状態で覆うガラス枠とを備えるパチンコ機において、前記外枠に対して前記内枠を扉状に開閉可能に連結し、その内枠に対してガラス枠を扉状に開閉可能に連結する構成のパチンコ機のヒンジ装置であって、
前記外枠の上隅部において下方に突出するように設けられた外枠ヒンジピンと、
前記ガラス枠の上隅部において上方に突出するように設けられたガラス枠ヒンジピンと、
前記内枠の上隅部に設けられて前記外枠ヒンジピンが挿通される外枠用ピン受け機構と、
前記ガラス枠ヒンジピンが挿通されるガラス枠用ピン受け機構とを有しており、
前記外枠用ピン受け機構とガラス枠用ピン受け機構とは、ハウジングを共用していることを特徴とするパチンコ機のヒンジ装置。
【請求項２】
請求項１に記載されたパチンコ機のヒンジ装置であって、
前記外枠ヒンジピンとガラス枠ヒンジピンとは同軸に配置されていることを特徴とするパチンコ機のヒンジ装置。
【請求項３】
請求項１又は請求項２に記載されたパチンコ機のヒンジ装置であって、
外枠用ピン受け機構は、前記外枠ヒンジピンが半径方向から嵌合可能なように前記ハウジングに形成された平面略Ｕ字形の第１軸受部と、その第１軸受部の開口部分を弾性力により閉鎖する第１閉鎖部材とを有しており、
前記第１閉鎖部材は、第１軸受部の開口部分を弾性力により閉鎖する閉鎖位置から、外枠ヒンジピンが嵌合されて開放される開放位置まで前記外枠ヒンジピンの半径方向に摺動して退避する構成とされており、
前記第１閉鎖部材は、前記第１閉鎖部材と、前記ハウジングの壁面のいずれか一方の面に垂直上に突出された突起と、他方の面に貫通形成された長孔の係合によって摺動して退避される構成とされており、
ガラス枠用ピン受け機構は、前記ハウジングに形成されて、前記ガラス枠のガラス枠ヒンジピンが軸方向から嵌合可能な開口孔を有しており、
更に、前記ハウジングに固定されて、前記ガラス枠ヒンジピンが嵌合する開口孔の位置まで前記ガラス枠ヒンジピンを半径方向に案内されるガイド溝が形成されたガイド溝形成部位を有しており、
前記ガラス枠ヒンジピンは弾性力に抗して一定寸法だけ軸方向に変位可能に構成されていることを特徴とするパチンコ機のヒンジ装置。
【請求項４】
請求項１又は請求項２に記載されたパチンコ機のヒンジ装置であって、
外枠用ピン受け機構は、前記外枠ヒンジピンが半径方向から嵌合可能なように前記ハウジングに形成された平面略Ｕ字形の第１軸受部と、その第１軸受部の開口部分を弾性力により閉鎖する第１閉鎖部材とを有しており、
ガラス枠用ピン受け機構は、前記ガラス枠ヒンジピンが半径方向から嵌合可能なように前記ハウジングに形成された平面略Ｕ字形の第２軸受部と、その第２軸受部の開口部分を弾性力により閉鎖する第２閉鎖部材とを有していることを特徴とするパチンコ機のヒンジ装置。
【請求項５】
請求項１又は請求項２に記載されたパチンコ機のヒンジ装置であって、
外枠用ピン受け機構は、前記外枠ヒンジピンが半径方向から嵌合可能なように前記ハウジングに形成された平面略Ｕ字形の第１軸受部と、その第１軸受部の開口部分を弾性力により閉鎖する第１閉鎖部材とを有しており、
ガラス枠用ピン受け機構は、前記ハウジングに固定されて、前記ガラス枠のガラス枠ヒンジピンが軸方向から嵌合可能なように構成された筒状部材を有しており、
前記ガラス枠ヒンジピンは弾性力に抗して一定寸法だけ軸方向に変位可能に構成されていることを特徴とするパチンコ機のヒンジ装置。
【発明の詳細な説明】
【技術分野】
【０００１】
本発明は、方形枠状の外枠と、遊技盤が取付けられる内枠と、前記遊技盤を視認可能な状態で覆うガラス枠とを備えるパチンコ機において、前記外枠に対して前記内枠を扉状に開閉可能に連結し、その内枠に対してガラス枠を扉状に開閉可能に連結する構成のパチンコ機のヒンジ装置に関する。
【背景技術】
【０００２】
パチンコ機のヒンジ装置に関しては様々な提案がなされている。
例えば、特許文献１に記載されたパチンコ機のヒンジ装置は、図１１に示すように、外枠１０１に対して内枠１０３を扉状に開閉可能に連結するための上下一対の第１ヒンジ装置１１０がパチンコ機１００の右上隅部と右下隅部とに設けられている。また、内枠１０３に対してガラス枠１０４を扉状に開放可能に連結するための上下一対の第２ヒンジ装置１２０がパチンコ機１００の右上隅部近傍（第１ヒンジ装置１１０の下方）と右隅高さ方向途中位置とに設けられている。そして、第１ヒンジ装置１１０と第２ヒンジ装置１２０とが同軸に配置されている。このように、内枠１０３に対してガラス枠１０４を連結する第２ヒンジ装置１２０と外枠１０１に対して内枠１０３を連結する第１ヒンジ装置１１０とを同軸に配置できるため、ガラス枠１０４の幅寸法を内枠１０３とほぼ等しく設定でき、ガラス１０４ｗ（透明部分）の幅寸法を極力大きくすることができる。
【先行技術文献】
【特許文献】
【０００３】
【特許文献１】特開２００８−１６７９７０号公報
【発明の概要】
【発明が解決しようとする課題】
【０００４】
上記したパチンコ機１００では、内枠１０３に対してガラス枠１０４を連結する第２ヒンジ装置１２０と、外枠１０１に対して内枠１０３を連結する第１ヒンジ装置１１０とは別々のヒンジ装置である。このため、前記パチンコ機１００の右上隅部では、第１ヒンジ装置１１０と第２ヒンジ装置１２０とが上下に並んで配置されるようになる。このため、前記パチンコ機１００の右上隅部にヒンジ装置用の比較的広いスペースが必要になる。さらに、パチンコ機１００の右上隅部に広いヒンジ装置用のスペースがあるため、パチンコ機１００の見栄えが良くない。
【０００５】
本発明は、上記問題点を解決するためになされたものであり、本発明の技術的課題は、外枠、内枠及びガラス枠の上隅部に設けられたヒンジ装置が上下方向にスペースを取らないようにするとともに、パチンコ機の見栄えを向上させることである。
【課題を解決するための手段】
【０００６】
上記した課題は、各請求項の発明によって解決される。
先ず、第１の発明は、方形枠状の外枠と、遊技盤が取付けられる内枠と、前記遊技盤を視認可能な状態で覆うガラス枠とを備えるパチンコ機において、前記外枠に対して前記内枠を扉状に開閉可能に連結し、その内枠に対してガラス枠を扉状に開閉可能に連結する構成のパチンコ機のヒンジ装置であって、前記外枠の上隅部において下方に突出するように設けられた外枠ヒンジピンと、前記ガラス枠の上隅部において上方に突出するように設けられたガラス枠ヒンジピンと、前記内枠の上隅部に設けられて前記外枠ヒンジピンが挿通される外枠用ピン受け機構と、前記ガラス枠ヒンジピンが挿通されるガラス枠用ピン受け機構とを有しており、前記外枠用ピン受け機構とガラス枠用ピン受け機構とは、ハウジングを共用していることを特徴とする。
【０００７】
この第１の発明によれば、前記外枠ヒンジピンが挿通される内枠の外枠用ピン受け機構と、前記ガラス枠ヒンジピンが挿通される内枠のガラス枠用ピン受け機構とはハウジングを共用している。即ち、従来のように、外枠の上隅部と内枠の上隅部とを連結するヒンジ装置と、内枠の上隅部とガラス枠の上隅部とを連結するヒンジ装置とが上下に離れておらず、両者が一体化されている。このため、外枠、内枠及びガラス枠の上隅部に設けられたヒンジ装置が上下方向のスペースを大きく取らない。さらに、パチンコ機の上隅部のヒンジ装置用スペースを小さくできるため、パチンコ機の見栄えも向上する。
【０００８】
次に、第２の発明は、上述した第１の発明において、外枠ヒンジピンとガラス枠ヒンジピンとは同軸に配置されていることを特徴とする。
このため、ガラス枠の幅寸法を内枠とほぼ等しく設定でき、ガラス（透明部分）の幅寸法を極力大きくすることができる。
【０００９】
次に、第３の発明は、上述した第１の発明又は第２の発明において、外枠用ピン受け機構は、前記外枠ヒンジピンが半径方向から嵌合可能なように前記ハウジングに形成された平面略Ｕ字形の第１軸受部と、その第１軸受部の開口部分を弾性力により閉鎖する第１閉鎖部材とを有しており、前記第１閉鎖部材は、第１軸受部の開口部分を弾性力により閉鎖する閉鎖位置から、外枠ヒンジピンが嵌合されて開放される開放位置まで前記外枠ヒンジピンの半径方向に摺動して退避する構成とされており、前記第１閉鎖部材は、前記第１閉鎖部材と、前記ハウジングの壁面のいずれか一方の面に垂直上に突出された突起と、他方の面に貫通形成された長孔の係合によって摺動して退避される構成とされており、ガラス枠用ピン受け機構は、前記ハウジングに形成されて、前記ガラス枠のガラス枠ヒンジピンが軸方向から嵌合可能な開口孔を有しており、更に、前記ハウジングに固定されて、前記ガラス枠ヒンジピンが嵌合する開口孔の位置まで前記ガラス枠ヒンジピンを半径方向に案内されるガイド溝が形成されたガイド溝形成部位を有しており、前記ガラス枠ヒンジピンは弾性力に抗して一定寸法だけ軸方向に変位可能に構成されていることを特徴とする。
【００１０】
この第３の発明によれば、外枠用ピン受け機構とガラス枠用ピン受け機構とがハウジングを共用する具体的構成として、外枠用ピン受け機構は、第１軸受部と第１閉鎖部材を備える。第１閉鎖部材は、ハウジング内で弾性的に外枠ヒンジピンの半径方向に摺動して退避するコンパクトな構成とされているためハウジングは上下方向にスペースを取らない構成とすることができる。また、第１閉鎖部材は、第１閉鎖部材とハウジングの壁面のいずれか一方の面に垂直上に突出された突起と、他方の面に貫通形成された長孔の係合によって摺動する構成となっている。これにより、ハウジングの壁面上の摺動においてガタつきを抑制した構成となっている。また、第１閉鎖部材は突起と長孔の係合により摺動が規制されるため摺動する位置がズレない構成となっている。ガラス枠用ピン受け機構は、ハウジングに形成された開口孔を備えており、ガラス枠ヒンジピンを半径方向に案内されるガイド溝が形成されたガイド溝形成部位を備えることにより、ガラス枠ヒンジピンを円滑に嵌合することができる。
【００１１】
次に、第４の発明は、上述した第１の発明又は第２の発明において、外枠用ピン受け機構は、前記外枠ヒンジピンが半径方向から嵌合可能なように前記ハウジングに形成された平面略Ｕ字形の第１軸受部と、その第１軸受部の開口部分を弾性力により閉鎖する第１閉鎖部材とを有しており、ガラス枠用ピン受け機構は、前記ガラス枠ヒンジピンが半径方向から嵌合可能なように前記ハウジングに形成された平面略Ｕ字形の第２軸受部と、その第２軸受部の開口部分を弾性力により閉鎖する第２閉鎖部材とを有していることを特徴とする。
【００１２】
次に、第５の発明は、上述した第１の発明又は第２の発明において、外枠用ピン受け機構は、前記外枠ヒンジピンが半径方向から嵌合可能なように前記ハウジングに形成された平面略Ｕ字形の第１軸受部と、その第１軸受部の開口部分を弾性力により閉鎖する第１閉鎖部材とを有しており、ガラス枠用ピン受け機構は、前記ハウジングに固定されて、前記ガラス枠のガラス枠ヒンジピンが軸方向から嵌合可能なように構成された筒状部材を有しており、前記ガラス枠ヒンジピンは弾性力に抗して一定寸法だけ軸方向に変位可能に構成されていることを特徴とする。
【発明の効果】
【００１３】
本発明によると、外枠、内枠及びガラス枠の上隅部に設けられたヒンジ装置が上下方向にスペースを取らないようになる。さらに、パチンコ機の上隅部におけるヒンジ装置用のスペースを小さくできるため、前記パチンコ機の見栄えが向上する。
【図面の簡単な説明】
【００１４】
【図１】本実施形態に係るヒンジ装置を備えるパチンコ機の分解斜視図である。
【図２】本実施形態に係るヒンジ装置のピン受け部の分解斜視図である。
【図３】前記ヒンジ装置の右上隅部の斜視図である。
【図４】前記ヒンジ装置の動作を表す平面図である。
【図５】前記ヒンジ装置の動作を表す平面図である。
【図６】前記ヒンジ装置の動作を表す平面図である。
【図７】変更例１に係るヒンジ装置のピン受け部の分解斜視図である。
【図８】前記ヒンジ装置の右上隅部の斜視図（Ａ図）、Ａ図のＢ方向から見た斜視図（Ｂ図）である。
【図９】変更例２に係るヒンジ装置のピン受け部の分解斜視図である。
【図１０】変更例２に係るヒンジ装置の右上隅部の斜視図である。
【図１１】従来のパチンコ機の全体斜視図である。
【発明を実施するための形態】
【００１５】
［実施形態１］
以下、図１〜図８に基づいて本発明の実施形態１に係るパチンコ機のヒンジ装置の説明を行なう。ここで、図１は本実施形態に係るヒンジ装置を備えるパチンコ機の分解斜視図であり、図２は前記ヒンジ装置のピン受け部の分解斜視図である。図３は前記ヒンジ装置の右上隅部の斜視図、図４から図６は前記ヒンジ装置の動作を表す平面図である。また、図７、図８は変更例１に係るヒンジ装置のピン受け部の分解斜視図等である。ここで、図中に示す前後左右及び上下はパチンコ機における前後左右及び上下に対応している。
【００１６】
＜パチンコ機の概要について＞
パチンコ機は、図１に示すように、略方形枠状に形成されて本体ケースとなる外枠１０を備えている。外枠１０の右上隅部には、ヒンジ装置２０を構成する固定板３０が取付けられており、その固定板３０の先端下面に上側ヒンジピン３２が下方に突出するように形成されている（詳細は図３参照）。また、外枠１０の右下隅部には、ヒンジ装置２０を構成する受けプレート３４が取付けられており、その受けプレート３４の先端上面に下側ヒンジピン３６が上方に突出するように形成されている。前記上側ヒンジピン３２と下側ヒンジピン３６とは同軸になるように位置決めされている。
【００１７】
外枠１０には、遊技盤等（図示省略）の支持枠である内枠１２がヒンジ装置２０によって扉状に開閉可能に連結されている。内枠１２の右下隅部には、外枠１０の受けプレート３４上に重ねられる受けプレート４４（ヒンジ装置２０の構成部材）が取付けられており、その受けプレート４４に外枠１０の下側ヒンジピン３６が挿通されるピン孔４６が形成されている。また、内枠１２の右上隅部には、外枠１０の上側ヒンジピン３２が挿通されるヒンジ装置２０のピン受け部５０が設けられている。これにより、内枠１２は外枠１０に対してヒンジ装置２０の上側ヒンジピン３２と下側ヒンジピン３６とを中心にして扉状に回動可能になる。
即ち、上側ヒンジピン３２が本発明の外枠ヒンジピンに相当する。
内枠１２の下部には、玉受け皿１６ｋ等を有する前板１６が取付けられており、その前板１６の上面右端にヒンジ装置２０の構成部材であるガラス枠用下側ヒンジピン４５が上方に突出するように形成されている。ここで、ガラス枠用下側ヒンジピン４５は、内枠１２の受けプレート４４のピン孔４６と同軸になるように形成されている。
【００１８】
内枠１２には、ガラス枠１４がヒンジ装置２０によって扉状に開閉可能な状態で連結されている。ガラス枠１４は内枠１２の遊技盤等を視認可能な状態で覆うガラス１４ｗを備える枠体であり、ガラス枠１４の右下隅部に内枠１２の前板１６の上面に重ねられる受けプレート４７（ヒンジ装置２０の構成部材）が取付けられている。そして、ガラス枠１４の受けプレート４７に前板１６のガラス枠用下側ヒンジピン４５が挿通されるピン孔４８が形成されている。また、ガラス枠１４の右上隅部には、内枠１２のピン受け部５０に挿通されるガラス枠用上側ヒンジピン４９が上方に突出するように形成されている。これにより、ガラス枠１４は内枠１２に対してガラス枠用上側ヒンジピン４９とガラス枠用下側ヒンジピン４５とを中心にして扉状に回動可能になる。
即ち、ガラス枠用上側ヒンジピン４９が本発明のガラス枠ヒンジピンに相当する。
【００１９】
＜内枠１２のピン受け部５０について＞
ヒンジ装置２０を構成する内枠１２のピン受け部５０は、図１から図３示すように、外枠１０の固定板３０の上側ヒンジピン３２が挿通されるとともに、ガラス枠用上側ヒンジピン４９が挿通される機構であり、ハウジング５２を備えている。ハウジング５２は、図２、図３等に示すように、内枠１２に固定される縦向フランジ部５３と、その縦向フランジ部５３から前方に突出するハウジング本体部５４とから構成されており、両者５３，５４とが一体に成形されている。ハウジング本体部５４は、図２に示すように、上板部位５４１と、中段板部位５４２と、底板部位５４４と、それらの板部位５４１，５４２，５４４の左端縁から先端面までを覆うように形成された側壁部位５４５とを備えている。そして、ハウジング本体部５４の上板部位５４１の先端部分に、外枠１０の上側ヒンジピン３２が半径方向から嵌合可能な平面略Ｕ字形の第１軸受部５４１ｕが右側で開放するように形成されている。また、ハウジング本体部５４の底板部位５４４の先端部分に、ガラス枠用上側ヒンジピン４９が半径方向から嵌合可能な平面略Ｕ字形の第２軸受部５４４ｕが、図２、図３に示すように、左側で開放するように形成されている。ここで、第１軸受部５４１ｕの軸心と第２軸受部５４４ｕの軸心とは同軸に設定されており、第１軸受部５４１ｕと第２軸受部５４４ｕとの間は中段板部位５４２によって上下方向に完全に仕切られている。
【００２０】
ハウジング本体部５４の上板部位５４１と中段板部位５４２間には、図２に示すように、厚板状の第１閉鎖部材６１がその中段板部位５４２上を前後摺動可能な状態で収納されている。第１閉鎖部材６１は、ハウジング本体部５４の第１軸受部５４１ｕの開口部分を閉鎖して、その第１軸受部５４１ｕに嵌合した外枠１０の上側ヒンジピン３２の抜け止めを図る部材であり、先端右側部分に第１軸受部５４１ｕの反対側から上側ヒンジピン３２の外周面を押える押え部６１０が設けられている。第１閉鎖部材６１の押え部６１０には、上側ヒンジピン３２の外周面に面接触する内側部分に円弧面６１２が形成されており、その押え部６１０の外側部分に前記押え部６１０が平面視で先細となるように傾斜面６１４が形成されている。さらに、第１閉鎖部材６１の基端部には、後記する第１ガイドピン６５の先端部が挿入されるガイド孔６１６が第１閉鎖部材６１の前後方向に延びるように形成されている。また、第１閉鎖部材６１の基端部には、左方向に突出する平板状の取手部６１７が形成されている。
【００２１】
ハウジング本体部５４の中段板部位５４２と底板部位５４４間には、図２に示すように、厚板状の第２閉鎖部材６２がその底板部位５４４上を前後摺動可能な状態で収納されている。第２閉鎖部材６２は、ハウジング本体部５４の第２軸受部５４４ｕの開口部分を閉鎖して、その第２軸受部５４４ｕに嵌合したガラス枠用上側ヒンジピン４９の抜け止めを図る部材であり、先端左側部分に第２軸受部５４４ｕの反対側からガラス枠用上側ヒンジピン４９の外周面を押える押え部６２０が設けられている。第２閉鎖部材６２の押え部６２０には、ガラス枠用上側ヒンジピン４９の外周面に面接触する内側部分に円弧面６２２が形成されており、その押え部６２０の外側部分に前記押え部６２０が平面視で先細となるように傾斜面６２４が形成されている。さらに、第２閉鎖部材６２の基端部には、後記する第２ガイドピン６７の先端部が挿入されるガイド孔６２６が第２閉鎖部材６２の前後方向に延びるように形成されている。また、第２閉鎖部材６２の基端部には、左方向に突出する平板状の取手部６２７が形成されている。
【００２２】
第１閉鎖部材６１、第２閉鎖部材６２が上記したようにハウジング本体部５４に収納された状態で、ハウジング本体部５４の開放部分、即ち、側壁部位５４５と縦向フランジ部５３とを除くハウジング本体部５４の周囲が平面略Ｌ字形の蓋板部材６８によって塞がれる。蓋板部材６８は、後板部６８ｂと左板部６８ｒとから構成されており、後板部６８ｂの上下所定位置に第１ガイドピン６５と第２ガイドピン６７とが平行な状態で前方に突出するように固定されている。前述のように、第１ガイドピン６５の先端部は第１閉鎖部材６１のガイド孔６１６に挿入されており、その第１ガイドピン６５の回りには第１閉鎖部材６１を前方に押圧するように付勢された第１バネ６５ｓが装着されている。また、第２ガイドピン６７の先端部は第２閉鎖部材６２のガイド孔６２６に挿入されており、その第２ガイドピン６７の回りには第２閉鎖部材６２を前方に押圧するように付勢された第２バネ６７ｓが装着されている。したがって、第１閉鎖部材６１、第２閉鎖部材６２は、第１バネ６５ｓ、第２バネ６７ｓのバネ力を受けて前端位置に保持されており、ハウジング本体部５４の第１軸受部５４１ｕの開口部分、及び第２軸受部５４４ｕの開口部分が閉鎖されている。
蓋板部材６８は、後板部６８ｂと左板部６８ｒとがそれぞれネジ６９で中段板部位５４２の側面に固定されることにより、ハウジング５２に保持されている。
即ち、上記したハウジング本体部５４の第１軸受部５４１ｕと第１閉鎖部材６１とが本発明の外枠用ピン受け機構に相当し、第２軸受部５４４ｕと第２閉鎖部材６２とが本発明のガラス枠用ピン受け機構に相当する。
【００２３】
＜外枠１０、内枠１２及びガラス枠１４の連結手順について＞
外枠１０に対して内枠１２を連結する場合には、先ず、図１に示すように、内枠１２の右下隅部の受けプレート４４を外枠１０の受けプレート３４上にセットし、内枠１２の受けプレート４４のピン孔４６に対して外枠１０の受けプレート３４の下側ヒンジピン３６を嵌合させる。次に、図３、図４に示すように、外枠１０の右上隅部に設けられた固定板３０に内枠１２のピン受け部５０を斜め前方向から接近させ、固定板３０に設けられた上側ヒンジピン３２をピン受け部５０の第１軸受部５４１ｕに対して半径方向から押し込むようにする。これにより、固定板３０の上側ヒンジピン３２がピン受け部５０の第１閉鎖部材６１の傾斜面６１４に押付けられる。この結果、上側ヒンジピン３２と第１閉鎖部材６１の傾斜面６１４との摺動作用により、図４に示すように、第１閉鎖部材６１が第１バネ６５ｓのバネ力に抗し、第１ガイドピン６５に沿って後退し、第１軸受部５４１ｕの開口部分が開かれる。そして、外枠１０の上側ヒンジピン３２が第１軸受部５４１ｕに嵌合した状態で、その上側ヒンジピン３２が第１閉鎖部材６１の傾斜面６１４から外れ、前記第１閉鎖部材６１は第１バネ６５ｓのバネ力で前端位置まで戻される。この状態で、図５に示すように、ピン受け部５０の第１軸受部５４１ｕの開口部分が閉じられ、外枠１０に対する内枠１２の連結が完了する。即ち、図５に示すように、外枠１０に対して内枠１２を開閉できるようになる。
なお、外枠１０と内枠１２の連結を解除する場合には、ピン受け部５０の第１閉鎖部材６１の取手部６１７を押してその第１閉鎖部材６１を第１バネ６５ｓのバネ力に抗して後退させ、第１軸受部５４１ｕの開口部分を開放する。これにより、外枠１０の上側ヒンジピン３２から内枠１２のピン受け部５０を容易に外すことができる。
【００２４】
次に、内枠１２に対してガラス枠１４を連結する場合には、先ず、図１に示すように、ガラス枠１４の右下隅部の受けプレート４７を内枠１２の前板１６上にセットし、ガラス枠１４の受けプレート４７のピン孔４８に対して前板１６のガラス枠用下側ヒンジピン４５を嵌合させる。次に、図３、図６に示すように、内枠１２のピン受け部５０に対してガラス枠１４の右上隅部に形成されたガラス枠用上側ヒンジピン４９を接近させ、そのガラス枠用上側ヒンジピン４９をピン受け部５０の第２軸受部５４４ｕに対して半径方向から押し込むようにする。これにより、ガラス枠用上側ヒンジピン４９がピン受け部５０の第２閉鎖部材６２の傾斜面６２４に押付けられる。この結果、ガラス枠用上側ヒンジピン４９と第２閉鎖部材６２の傾斜面６２４との摺動作用により、図６に示すように、第２閉鎖部材６２が第２バネ６７ｓのバネ力に抗し、第２ガイドピン６７に沿って後退し、第２軸受部５４４ｕの開口部分が開かれる。そして、ガラス枠用上側ヒンジピン４９が第２軸受部５４４ｕに嵌合した状態で、そのガラス枠用上側ヒンジピン４９が第２閉鎖部材６２の傾斜面６２４から外れ、前記第２閉鎖部材６２は第２バネ６７ｓのバネ力で前端位置まで戻される。この状態で、ピン受け部５０の第２軸受部５４４ｕの開口部分が閉じられ、内枠１２に対するガラス枠１４の連結が完了する。
なお、内枠１２とガラス枠１４の連結を解除する場合には、ピン受け部５０の第２閉鎖部材６２の取手部６２７を押してその第２閉鎖部材６２を後退させ、第２軸受部５４４ｕの開口部分を開放する。これにより、内枠１２のピン受け部５０からガラス枠用上側ヒンジピン４９を容易に外すことができる。
【００２５】
＜上記ヒンジ装置２０の利点について＞
本実施形態に係るヒンジ装置２０によると、外枠１０の右上隅部に設けられた上側ヒンジピン３２（外枠ヒンジピン）と、ガラス枠１４の右上隅部に設けられたガラス枠用上側ヒンジピン４９とは同軸に配置されている。さらに、上側ヒンジピン３２（外枠ヒンジピン）が挿通される内枠１２のピン受け部５０の第１軸受部５４１ｕと、ガラス枠用上側ヒンジピン４９が挿通されるピン受け部５０の第２軸受部５４４ｕとは、ハウジング５２を共用している。
即ち、従来のように、外枠の右上隅部と内枠の右上隅部とを連結するヒンジ装置と、内枠の右上隅部とガラス枠の右上隅部とを連結するヒンジ装置とが上下に離れておらず、両者が一体化されている。このため、外枠１０、内枠１２及びガラス枠１４の右上隅部に設けられたヒンジ装置２０が同軸に配置された状態で上下方向のスペースを大きく取らない。さらに、パチンコ機の右上隅部のヒンジ装置用スペースを小さくできるため、パチンコ機の見栄えも向上する。
【００２６】
＜本実施形態に係るヒンジ装置２０の変更例１について＞
ここで、本発明は上記実施形態に限定されるものではなく、本発明の要旨を逸脱しない範囲における変更が可能である。例えば、本実施形態に係るヒンジ装置２０では、内枠１２のピン受け部５０の上下に第１軸受部５４１ｕと第２軸受部５４４ｕとを設け、さらに各々の軸受部５４１ｕ，５４４ｕの開口部分を閉鎖するための第１閉鎖部材６１と第２閉鎖部材６２とを上下に設ける例を示した。しかし、図７、図８に示すように、ピン受け部５０の第２軸受部５４４ｕと第２閉鎖部材６２の構成を変更することも可能である。
【００２７】
即ち、図７、図８に示すピン受け部５０は、第１軸受部５４１ｕが形成された上板部位７４と底板部位７５と側壁部位７６と縦向フランジ部７３とからなるハウジング７０を備えており、そのハウジング７０の上板部位７４と底板部位７５間に第１軸受部５４１ｕの開口部分を閉鎖可能な第１閉鎖部材８０が前後摺動可能な状態で配置されている。第１閉鎖部材８０の先端右側には、図７に示すように、押え部８１が設けられており、その押え部８１の内側部分に円弧面８１ｅ、外側部分に傾斜面８１ｒが形成されている。また、第１閉鎖部材８０の前後には、前後方向に延びる長孔８２が形成されており、それらの長孔８２にそれぞれガイドピン８４が通されている。前記ガイドピン８４は、ハウジング７０の底板部位７５に対して直角にネジ止めされている。これにより、第１閉鎖部材８０は、ハウジング７０の底板部位７５に対して長孔８２の長さ分だけ前後移動が可能になる。また、第１閉鎖部材８０の後端中央にはバネ受け８６が形成されており、そのバネ受け８６に第１バネ８５の後端が掛けられている。第１バネ８５は第１閉鎖部材８０が前方に移動する方向に付勢されており、その第１バネ８５の前端が前側のガイドピン８４に掛けられている。
上記構成により、図７、図８に示すピン受け部５０の第１閉鎖部材８０は、先に説明したピン受け部５０の第１閉鎖部材６１と同じ動作をするようになる。
【００２８】
ハウジング７０の底板部位７５には、図７、図８に示すように、上板部位７４の第１軸受部５４１ｕと同軸の位置に円筒形のカラー８８が固定されている。カラー８８は、ガラス枠用上側ヒンジピン４９が軸方向から嵌合する部材であり、ガラス枠用上側ヒンジピン４９の外径寸法とほぼ等しい内径寸法の貫通孔８８ｈを備えている。
ガラス枠用上側ヒンジピン４９は、図８に示すように、ガラス枠１４に設けられたサポート部材４９ｋに対して上下動可能な状態で装着されており、そのガラス枠用上側ヒンジピン４９の下部が約90°曲げられて取手部４９ｔが形成されている。さらに、サポート部材４９ｋの内側でガラス枠用上側ヒンジピン４９の周囲にはバネ材４９ｂが装着されており、そのバネ材４９ｂがガラス枠用上側ヒンジピン４９を上限位置に保持するように付勢されている。このため、取手部４９ｔによりガラス枠用上側ヒンジピン４９をバネ材４９ｂの力に抗して押し下げ、ガラス枠用上側ヒンジピン４９とピン受け部５０のカラー８８とを同軸に保持して、前記取手部４９ｔを離すことで、ガラス枠用上側ヒンジピン４９をバネ材４９ｂのバネ力でピン受け部５０のカラー８８に嵌合させることができる。
このため、図２に示すピン受け部５０の第２軸受部５４４ｕと第２閉鎖部材６２の構成を、図８に示すように、ピン受け部５０のカラー８８と上下動可能なガラス枠用上側ヒンジピン４９の構成に置き変えることが可能になる。
即ち、前記カラー８８が本発明の筒状部材に相当する。
ここで、本実施形態では、外枠１０の上側ヒンジピン３２（外枠ヒンジピン）とガラス枠用上側ヒンジピン４９（ガラス枠ヒンジピン）とを同軸に配置する例を示したが、前記外枠ヒンジピンの軸心とガラス枠ヒンジピンの軸心とをずらすことも可能である。
【００２９】
＜本実施形態に係るヒンジ装置２０の変更例２について＞
図７、図８に図示されるように、上記した変更例１は、本実施形態のピン受け部５０の第２軸受部５４４ｕと第２閉鎖部材６２の構成（図２参照）を変更する構成として、第１軸受部５４１ｕと同軸の位置にガラス枠用上側ヒンジピン４９が軸方向から嵌合する構成の円筒形のカラー８８（筒状部材）が固定されている構成について示した。上記変更例１以外にピン受け部５０の第２軸受部５４４ｕと第２閉鎖部材６２の構成を変更する例として以下の変更例２のような構成にすることもできる。本実施形態に係るヒンジ装置２０の変更例２について説明する。
図９、図１０に図示されるように、ヒンジ装置２０（図１参照）を構成する内枠１２のピン受け部５０は、外枠１０の固定板３０の上側ヒンジピン３２が挿通されるとともに、ガラス枠用上側ヒンジピン４９が挿通される機構である。この変更例２に係るピン受け部５０は、概略ハウジング２６０、第１閉鎖部材２９０、第１バネ３００、締結部材３０２から構成されるものである。
【００３０】
図９に図示されるように、このハウジング２６０は、第１ハウジング本体部２７０と第２ハウジング本体部２８０の二つに分割された構成とされている。第１ハウジング本体部２７０は、金属製の板状部材が適宜折り曲げ形成されたものであり、内枠１２に固定される縦向フランジ部２７１と、その縦向フランジ部２７１から前方に突出する底板部位２７２と、この底板部位２７２の左端縁から先端面までを覆うように形成された左側壁部位２７６とを備えている。この底板部位２７２の面上には、この底板部位２７２の面に垂直上方側に突出した突起部２７５が形成されている。これは、上記変更例１のガイドピン８４に変えて構成されるものであり、後述する第１閉鎖部材２９０に形成される長孔２９４と係合して第１閉鎖部材２９０の摺動を規制するためのものである。この突起部２７５は、底板部位２７２の面の突出する側とは反対の背面側から圧力を加えて突出させるものである。また、底板部位２７２の先端部分には、ガラス枠用上側ヒンジピン４９が軸方向から嵌合可能な開口孔２７４がガラス枠用上側ヒンジピン４９の外径寸法とほぼ等しい内径寸法に貫通形成されている。また、第２ハウジング本体部２８０と組付けるために締結部材３０２が相通される組付孔２７３が貫通形成されている。左側壁部位２７６の先端部分には、外枠１０の固定板３０の上側ヒンジピン３２が進入可能な切欠部２７８が形成されている。また、左側壁部位２７６の先端部分には、後述する第２ハウジング本体部２８０と組付固定される嵌合部２７７が切り欠き形成されている。
【００３１】
第２ハウジング本体部２８０は、金属製の板状部材が適宜折り曲げ形成されたものであり、上面部を覆う上板部位２８１と、右側側方を覆う右側壁部位２８４と、ガラス枠ヒンジピンを半径方向に案内するガイド溝２８６が形成されたガイド溝形成部位２８５とを備えて断面略コの字状に折り曲げ形成されている。この第２ハウジング本体部２８０の上板部位２８１の先端部分には、外枠１０の上側ヒンジピン３２が半径方向から嵌合可能な平面略Ｕ字形の第１軸受部５４１ｕが左側で開放するように形成されている。ここで、第１軸受部５４１ｕに嵌合した上側ヒンジピン３２の軸心と前述のガイド溝２８６に嵌合したガラス枠用上側ヒンジピン４９の軸心とは同軸に設定されている。上板部位２８１の先端部分には、第１ハウジング本体部２７０と組付固定される嵌合部２８３が切り欠き形成されている。また、この上板部位２８１の面上には、この上板部位２８１の面に垂直下方側に突出した突起部２８２が形成されている。これは、上記変更例１のガイドピン８４に変えて構成されるものであり、後述する第１閉鎖部材２９０に形成される長孔２９４と係合して第１閉鎖部材２９０の摺動を規制するためのものである。この突起部２８２は、上板部位２８１の面の突出する側とは反対の背面側から圧力を加えて突出させるものである。右側壁部位２８４には、右側壁部位２８４に対して左側方向に切起し形成されたバネ受け２８８が形成されている。ガイド溝形成部位２８５は、ガラス枠ヒンジピンを半径方向に案内するものであり、平面略Ｕ字形に切り欠かれたガイド溝２８６が左側で開放するように切り欠き形成されている。また、第１ハウジング本体部２７０と組付けるために締結部材３０２が相通される組付孔２８７が貫通形成されている。
【００３２】
図９に図示されるように、第１閉鎖部材２９０がハウジング２６０内において摺動可能に収納されている。詳しくは、第１閉鎖部材２９０は、第１ハウジング本体部２７０の底板部位２７２と第２ハウジング本体部２８０の上板部位２８１の間において底板部位２７２上を前後摺動可能な状態で収納されている。この第１閉鎖部材２９０は、ハウジング２６０の第１軸受部５４１ｕの開口部分を弾性力により閉鎖する閉鎖位置から、上側ヒンジピン３２（外枠ヒンジピン）が嵌合されて開放される開放位置まで上側ヒンジピン３２（外枠ヒンジピン）の半径方向に摺動して退避させ、上側ヒンジピン３２（外枠ヒンジピン）が第１軸受部５４１ｕに嵌合後は、上側ヒンジピン３２の抜け止めを図る部材である。
この第１閉鎖部材２９０は、金属製の板状部材が断面略コの字状に折り曲げ形成されている。詳細には、第１ハウジング本体部２７０の底板部位２７２及び左側壁部位２７６と、第２ハウジング本体部２８０の上板部位２８１及び右側壁部位２８４に囲まれた内周の断面略矩形形状と略同一の大きさに折り曲げ形成されている。また、先端左側部分に第１軸受部５４１ｕの反対側から上側ヒンジピン３２の外周面を押える押え部２９２が設けられている。この第１閉鎖部材２９０の押え部２９２には、上側ヒンジピン３２の外周面に面接触する内側部分に円弧面２９２ｅが形成されており、その押え部２９２の外側部分に前記押え部２９２が平面視で先細となるように傾斜面２９２ｒが形成されている。また、第１ハウジング本体部２７０の底板部位２７２の面と対向する面及び、第２ハウジング本体部２８０の上板部位２８１の面と対向する面には前後方向に長孔２９４が形成されている。この長孔２９４は、上記した、突起部２７５、２８２と係合して第１閉鎖部材２９０の摺動を規制するためのものである。また、第１閉鎖部材２９０の側壁には、この側壁と対向した第２ハウジング本体部２８０のバネ受け２８８の方向（第１閉鎖部材２９０の側壁から右側方向）へバネ受け２９８が切起し形成されている。また、第１閉鎖部材２９０の基端部には、左方向（断面略コの字状に折り曲げる方向と逆方向）に折り曲げて突出した平板状の取手部２９６が形成されている。
【００３３】
上記した構成の組付けは、次の通りである。
第１閉鎖部材２９０の長孔２９４と、第２ハウジング本体部２８０の突起部２８２とが係合された状態で、第１閉鎖部材２９０に設けられたバネ受け２９８と第２ハウジング本体部２８０に設けられたバネ受け２８８に第１バネ３００の両端を掛けて第１閉鎖部材８０が前方に移動する方向に付勢された状態とする。この状態で、第１ハウジング本体部２７０の底板部位２７２上の突起部２７５と第１閉鎖部材２９０の長孔２９４とを係合した状態で載置する。そして、第２ハウジング本体部２８０の嵌合部２８３と第１ハウジング本体部２７０の嵌合部２７７を嵌合して組付ける。これにより、第１ハウジング本体部２７０と第２ハウジング本体部２８０に囲まれた内方側に第１閉鎖部材２９０が前後摺動可能な状態で収納される。さらに、第１ハウジング本体部２７０と第２ハウジング本体部２８０に設けられた組付孔２７３、２８７に締結部材３０２をハウジング２６０外方側から挿通して第１ハウジング本体部２７０と第２ハウジング本体部２８０を締結固定する。なお、第１ハウジング本体部２７０と第２ハウジング本体部２８０及び第１閉鎖部材２９０が組付いた状態の締結であるため、締結作業はハウジング２６０外方側からの片側締結となる。これにより例えば、所謂ブラインドリベットによる片側締結でもよいし、螺子部材による締結でもよい。なお、開口孔２７４に嵌合するガラス枠用上側ヒンジピン４９は、上記変更例１と同様の構成である。上記したハウジング２６０の第１軸受部５４１ｕと第１閉鎖部材２９０とが本発明の外枠用ピン受け機構に相当し、開口孔２７４とガイド溝２８６とが本発明のガラス枠用ピン受け機構に相当する。
【００３４】
変更例２において、外枠１０に対して内枠１２を連結する基本的構成は本実施形態と同様であるが、内枠１２のピン受け部５０が上側ヒンジピン３２に嵌合する方向が異なる。
これは、変更例２のハウジング２６０は第１軸受部５４１ｕが左側で開放するように形成されていることによる。
図３、図４、図８に図示されるように、本実施形態及び変更例１のピン受け部５０に第１軸受部５４１ｕが右側で開放するように形成されているため、内枠１２のピン受け部５０が上側ヒンジピン３２に嵌合する方向は、上側ヒンジピン３２に対して斜め前方向から接近させ、上側ヒンジピン３２をピン受け部５０の第１軸受部５４１ｕに対して半径方向から押し込むような構成となっている。
これに対し、図１０に図示されるように、変更例２のピン受け部５０の第１軸受部５４１ｕは、固定板３０に設けられた上側ヒンジピン３２に対して後方側に回り込ませてから後方側から前方側に向かって接近させ、上側ヒンジピン３２をピン受け部５０の第１軸受部５４１ｕに対して半径方向から押し込むような構成となっている。
これにより、変更例２では、内枠１２が開放された状態で、第１閉鎖部材２９０の取手部２９６を操作して第１閉鎖部材２９０を後退させ、第１軸受部５４１ｕの開口部分を開放した状態でも、上側ヒンジピン３２は第１軸受部５４１ｕの中に位置した状態を保つため内枠１２は外枠１０から外れない状態を保つ。変更例２における第１軸受部５４１ｕが左側で開放する構成は、内枠１２が遊技盤等が装着されて重くなる傾向にあるため有効である。なお、第１軸受部５４１ｕを左側で開放するように形成する構成は、本実施形態及び変更例１のピン受け部５０においても適用できるものである。
【００３５】
変更例２において、第１閉鎖部材２９０は上板部位２８１と底板部位２７２に囲まれた状態で摺動するためガタつきを抑制することができ円滑に摺動することができる。第１閉鎖部材２９０を摺動規制する構成は、第１ハウジング本体部２７０及び第２ハウジング本体部２８０側の突起部２７５、２８２と、第１閉鎖部材２９０の長孔２９４を係合する構成のため、構成数を少なくすることができ、部品コストを抑制することができる。また、ガラス枠用上側ヒンジピン４９を嵌合するためのガイド溝２８６が構成されておりガラス枠の取り付け作業がより容易となる。本変更例２では、第１ハウジング本体部２７０及び第２ハウジング本体部２８０側に突起部２７５、２８２を設けて、第１閉鎖部材２９０側に長孔２９４を設ける構成を示したが逆の構成であってもよい。
変更例２において、第１閉鎖部材２９０は金属製の板状部材によって形成されている構成を示した。しかしながら、これに限定されることなく、本発明におけるパチンコ機のヒンジ装置の第１閉鎖部材は、合成樹脂製の第１閉鎖部材を適用できるものである。また、アルミダイカスト等のダイカスト、鋳物、鍛造も適用できる。また、変更例２において、ハウジング２６０として構成される第１ハウジング本体部２７０と第２ハウジング本体部２８０は金属製の板状部材によって形成されている構成を示した。しかしながら、これに限定されることなく、本発明におけるパチンコ機のヒンジ装置のハウジング２６０として構成される第１ハウジング本体部２７０と第２ハウジング本体部２８０は、強度上の問題がなければ、合成樹脂を適用できるものである。また、アルミダイカスト等のダイカスト、鋳物、鍛造も適用できる。
【００３６】
また、本実施形態では、外枠１０の上側ヒンジピン３２（外枠ヒンジピン）とガラス枠用上側ヒンジピン４９（ガラス枠ヒンジピン）とを同軸に配置する例を示したが、前記外枠ヒンジピンの軸心とガラス枠ヒンジピンの軸心とをずらすことも可能である。
本実施形態、変更例１における、第１閉鎖部材６１、８０、第２閉鎖部材６２の各閉鎖部材の素材については特に示していないが、本発明におけるパチンコ機のヒンジ装置の第１閉鎖部材、第２閉鎖部材の各閉鎖部材は金属製、合成樹脂製の何れの素材も適用できるものである。また、アルミダイカスト等のダイカスト、鋳物、鍛造も適用できる。また、本実施形態、変更例１における、ハウジング５２、７０の素材については特に示していないが、本発明におけるパチンコ機のヒンジ装置のハウジングは金属製のハウジングが適用できるし、強度上の問題がなければ合成樹脂製の構成も適用できるものである。また、アルミダイカスト等のダイカスト、鋳物、鍛造も適用できる。
【符号の説明】
【００３７】
１０      外枠
１２      内枠
１４      ガラス枠
１４ｗ    ガラス
１６      前板
１６ｋ    玉受け皿
２０      ヒンジ装置
３０      固定板
３２      上側ヒンジピン（外枠ヒンジピン）
３４      受けプレート
３６      下側ヒンジピン
４４      受けプレート
４５      ガラス枠用下側ヒンジピン
４６      ピン孔
４７      受けプレート
４８      ピン孔
４９      ガラス枠用上側ヒンジピン（ガラス枠ヒンジピン）
４９ｂ    バネ材
４９ｋ    サポート部材
４９ｔ    取手部
５０      ピン受け部
５２      ハウジング
５３      縦向フランジ部
５４      ハウジング本体部
５４１    上板部位
５４１ｕ  第１軸受部（外枠用ピン受け機構）
５４２    中段板部位
５４４    底板部位
５４４ｕ  第２軸受部（ガラス枠用ピン受け機構）
５４５    側壁部位
６１      第１閉鎖部材（外枠用ピン受け機構）
６１０    押え部
６１２    円弧面
６１４    傾斜面
６１６    ガイド孔
６１７    取手部
６２      第２閉鎖部材（ガラス枠用ピン受け機構）
６２０    押え部
６２２    円弧面
６２４    傾斜面
６２６    ガイド孔
６２７    取手部
６５      第１ガイドピン
６５ｓ    第１バネ
６７      第２ガイドピン
６７ｓ    第２バネ
６８      蓋板部材
６８ｂ    後板部
６８ｒ    左板部
６９      ネジ
７０      ハウジング
７３      縦向フランジ部
７４      上板部位
７５      底板部位
７６      側壁部位
８０      第１閉鎖部材（外枠用ピン受け機構）
８１      押え部
８１ｅ    円弧面
８１ｒ    傾斜面
８２      長孔
８４      ガイドピン
８５      第１バネ
８６      バネ受け
８８      カラー（筒状部材）
８８ｈ    貫通孔
２６０  ハウジング
２７０  第１ハウジング本体部
２７１  縦向フランジ部
２７２  底板部位
２７３  組付孔
２７４  開口孔（ガラス枠用ピン受け機構）
２７５  突起部
２７６  左側壁部位
２７７  嵌合部
２７８  切欠部
２８０  第２ハウジング本体部
２８１  上板部位
２８２  突起部
２８３  嵌合部
２８４  右側壁部位
２８５  ガイド溝形成部位
２８６  ガイド溝（ガラス枠用ピン受け機構）
２８７  組付孔
２８８  バネ受け
２９０  第１閉鎖部材（外枠用ピン受け機構）
２９２  押え部
２９２ｅ  円弧面
２９２ｒ  傾斜面
２９４  長孔
２９６  取手部
２９８  バネ受け
３００  第１バネ
３０２  締結部材
【図１】
2010162325.tif 000003
【図２】
2010162325.tif 000004
【図３】
2010162325.tif 000005
【図４】
2010162325.tif 000006
【図５】
2010162325.tif 000007
【図６】
2010162325.tif 000008
【図７】
2010162325.tif 000009
【図８】
2010162325.tif 000010
【図９】
2010162325.tif 000011
【図１０】
2010162325.tif 000012
【図１１】
2010162325.tif 000013